(57)【要約】【課題】温調された飲料のみならず常温のままの飲料も供給することができる飲料供給装置を簡素な構成で実現する。【解決手段】飲料供給装置１は、飲料ボトル６から取り入れた水を供給ノズル１１から供給するものである。この飲料供給装置１は、飲料ボトル６から取り入れた水が供給され、水を所定の温度に冷却して貯留する冷却タンク３と、流路を開閉する常温水用電磁弁２７を備え、冷却タンク３に貯留される水の中で常温域の水を供給ノズル１１に導く常温水供給配管２６と、を有している。【選択図】図３
2018177285.tif 000002
【特許請求の範囲】
【請求項１】
飲料ボトルから取り入れた飲料を供給ノズルから供給する飲料供給装置において、
前記飲料ボトルから飲料が供給され、当該飲料を所定の温度に冷却して貯留する冷却タンクと、
流路を開閉する常温水用開閉弁を備え、前記冷却タンクに貯留される飲料の中で常温域の飲料を前記供給ノズルに導く常温水供給配管と、を有することを特徴とする飲料供給装置。
【請求項２】
前記冷却タンクは、
前記飲料ボトルから取り入れた飲料がタンク上部から供給されるタンク本体と、
前記タンク本体の内部に配置され、当該タンク本体内に貯留される飲料を上下に仕切る仕切板と、
前記仕切板よりも下側に配置され、前記冷却タンク内の飲料を冷却する冷却手段と、を有し、
前記常温水供給配管は、前記仕切板よりも上側となる位置で前記タンク本体に接続されていることを特徴とする請求項１に記載された飲料供給装置。
【請求項３】
前記供給ノズルに配設され、流路を開閉する給水用開閉弁と、
前記冷却タンクから中継配管を経由して飲料が供給され、当該飲料を所定の温度に加熱して貯留する加熱タンクと、
流路を開閉する温水用開閉弁を備え、前記加熱タンクに貯留される飲料を前記供給ノズルに導く温水供給配管と、を有し、
クリーニング指示がなされると、前記温水用開閉弁及び前記常温水用開閉弁が開かれる一方、前記給水用開閉弁が閉じられることを特徴とする請求項１又は２に記載された飲料供給装置。
【請求項４】
流路を開閉する冷水用開閉弁を備え、前記冷却タンクに貯留される飲料を前記供給ノズルに導く冷水供給配管をさらに有し、
クリーニング指示がなされると、前記冷水用開閉弁がさらに開かれることを特徴とする請求項３に記載された飲料供給装置。
【請求項５】
前記冷却タンクから中継配管を経由して飲料が供給され、当該飲料を所定の温度に加熱して貯留する加熱タンクと、
流路を開閉する冷水用開閉弁を備え、前記冷却タンクに貯留される飲料を前記供給ノズルに導く冷水供給配管と、
前記冷水供給配管の前記冷水用開閉弁よりも上流側と、前記常温水供給配管の前記常温水用開閉弁よりも上流側とを接続するバイパス配管と、
流路を開閉する循環用開閉弁を備え、前記加熱タンクと前記冷却タンクとを接続する循環配管と、をさらに有し、
クリーニング指示がなされると、前記冷水用開閉弁及び前記常温水用開閉弁が閉じられる一方、前記循環用開閉弁が開かれることを特徴とする請求項１又は２に記載された飲料供給装置。
【発明の詳細な説明】
【技術分野】
【０００１】
本発明は、飲料供給装置に関する。
【背景技術】
【０００２】
従来より、飲料ボトルから取り入れた飲料（例えば水）を供給ノズルから供給する飲料供給装置が知られている。この飲料供給装置は、飲料ボトルを搭載可能又は内蔵可能なサーバー本体と、当該サーバー本体内に収容されて、飲料ボトルから取り入れた飲料を所定の温度に温調して貯留する貯留タンクとを備えている。貯留タンクに溜められた飲料は、利用者の操作に応じて供給ノズルから供給される。例えば特許文献１，２には、貯留タンクとして冷水タンクと温水タンクとを備える飲料供給装置が開示されている。
【０００３】
なお、例えば特許文献３には、小型の飲料ボトルから常温水を供給する飲料供給装置が開示されている。
【先行技術文献】
【特許文献】
【０００４】
【特許文献１】特開２０１０−１２６１８９号公報
【特許文献２】特開２０１３−２２４１６３号公報
【特許文献３】実用新案登録第３１６９２５１号公報
【発明の概要】
【発明が解決しようとする課題】
【０００５】
特許文献１，２に開示された飲料供給装置によれば、加熱又は冷却といった温調された水を簡易に利用することができるという長所がある。しかしながら、冷却された水を利用する際に、周囲の外気温や利用する人の感覚によっては冷えすぎていると感じることがある。また、薬の服用にあっては、冷却された水では冷たすぎる場合がある。そのため、常温の水を得ようとする場合、冷水と温水とを交互に注ぎ、利用者自身で温度を調整する必要があり、手間がかかるという問題がある。また、冷水と温水とを自動で混合して常温水を生成する機能を搭載することも考えられるが、装置構成が複雑化するという問題がある。
【０００６】
本発明はかかる事情に鑑みてなされたものであり、その目的は、温調された飲料のみならず常温のままの飲料も供給することができる飲料供給装置を簡素な構成で実現することである。
【課題を解決するための手段】
【０００７】
かかる課題を解決するために、本発明は、飲料ボトルから取り入れた飲料を供給ノズルから供給する飲料供給装置を提供する。この飲料供給装置は、飲料ボトルから飲料が供給され、当該飲料を所定の温度に冷却して貯留する冷却タンクと、流路を開閉する常温水用開閉弁を備え、冷却タンクに貯留される飲料の中で常温域の飲料を供給ノズルに導く常温水供給配管と、を有する。
【０００８】
ここで、本発明において、冷却タンクは、飲料ボトルから取り入れた飲料がタンク上部から供給されるタンク本体と、タンク本体の内部に配置され、当該タンク本体内に貯留される飲料を上下に仕切る仕切板と、仕切板よりも下側に配置され、冷却タンク内の飲料を冷却する冷却手段と、を有し、常温水供給配管は、仕切板よりも上側となる位置でタンク本体に接続されていることが好ましい。
【０００９】
また、本発明の飲料供給装置は、供給ノズルに配設され、流路を開閉する給水用開閉弁と、冷却タンクから中継配管を経由して飲料が供給され、当該飲料を所定の温度に加熱して貯留する加熱タンクと、流路を開閉する温水用開閉弁を備え、加熱タンクに貯留される飲料を供給ノズルに導く温水供給配管と、を有し、クリーニング指示がなされると、温水用開閉弁及び常温水用開閉弁が開かれる一方、給水用開閉弁が閉じられることが好ましい。
【００１０】
この場合、飲料供給装置は、流路を開閉する冷水用開閉弁を備えて冷却タンクに貯留される飲料を供給ノズルに導く冷水供給配管をさらに有していてもよい。そして、クリーニング指示がなされると、冷水用開閉弁がさらに開かれることが望ましい。
【００１１】
また、本発明の飲料供給装置は、冷却タンクから中継配管を経由して飲料が供給され、当該飲料を所定の温度に加熱して貯留する加熱タンクと、流路を開閉する冷水用開閉弁を備え、冷却タンクに貯留される飲料を供給ノズルに導く冷水供給配管と、冷水供給配管の冷水用開閉弁よりも上流側と、常温水供給配管の常温水用開閉弁よりも上流側とを接続するバイパス配管と、流路を開閉する循環用開閉弁を備え、加熱タンクと冷却タンクとを接続する循環配管と、をさらに有し、クリーニング指示がなされると、冷水用開閉弁及び常温水用開閉弁が閉じられる一方、循環用開閉弁が開かれることが好ましい。
【発明の効果】
【００１２】
本発明によれば、温調された飲料のみならず常温のままの飲料も供給することができる飲料供給装置を簡素な構成で実現することができる。
【図面の簡単な説明】
【００１３】
【図１】本実施形態に係る飲料供給装置の外観を示す斜視図
【図２】本実施形態に係る飲料供給装置の内部構成を模式的に示す図
【図３】本実施形態に係る飲料供給装置の配管構成を概略的に示す説明図
【図４】本実施形態に係る飲料供給装置の要部を模式的に示す図
【図５】本実施形態に係る飲料供給装置の要部を模式的に示す図
【図６】本実施形態に係る飲料供給装置の変形例に関する配管構成を概略的に示す説明図
【発明を実施するための形態】
【００１４】
以下、図面を参照しつつ本実施形態に係る飲料供給装置１について説明する。ここで、図１は、本実施形態に係る飲料供給装置１の外観を示す斜視図である。図２は、本実施形態に係る飲料供給装置１の内部構成を模式的に示す図である。図３は、本実施形態に係る飲料供給装置１の配管構成を概略的に示す説明図である。図４は、本実施形態に係る飲料供給装置１の要部を模式的に示す図である。図５は、本実施形態に係る飲料供給装置１の要部を模式的に示す図である。なお、図３に示す破線の矢印は、クリーニング時の水の流れを示す。
【００１５】
本実施形態に係る飲料供給装置１は、飲料を所定の温度に加熱して又は冷却して、或いは、常温のまま供給する装置である。本実施形態では、飲料として水を例示するが、これ以外の飲料であってもよい。
【００１６】
この飲料供給装置１は、装置本体である筐体２と、その内部に収容される冷却タンク３及び加熱タンク４と、操作パネル５とを主体に構成されている。
【００１７】
筐体２の上端部には、ボトル載置部２０が設けられており、当該ボトル載置部２０には、飲料が充填された飲料ボトル６を載置することができる（図４及び図５において、飲料ボトル６は省略されている）。ボトル載置部２０に載置された飲料ボトル６内の水は、周囲の温度に応じた常温となる。
【００１８】
飲料ボトル６は、図２に示すように、当該飲料ボトル６の上端部から突き出した飲料取出口６０を下方に向けた状態でボトル載置部２０に載置される。この載置状態において、飲料取出口６０は、ボトル載置部２０の中央に設けられた挿入凹部２１に挿入される。
【００１９】
ボトル載置部２０の下面（裏面）側には、ボトル載置部２０に載置された飲料ボトル６から水を取り入れる飲料取入部２２が設けられている。飲料取入部２２は、底面側が閉塞された筒状部材からなる取入部本体２２ａと、この取入部本体２２ａの底面中央に設けられ、当該底面を貫通して上下方向に延在する円筒部２２ｂとで構成されている。
【００２０】
取入部本体２２ａの上端側の内周面は、挿入凹部２１の下端側の外周面に対して嵌合する嵌合部をなしており、取入部本体２２ａは、ボトル載置部２０の下面側から、挿入凹部２１に対して嵌合固定される。
【００２１】
円筒部２２ｂは、取入部本体２２ａの上端より突出した高さに設定されており、その先端部は挿入凹部２１の内方まで到達している。円筒部２２ｂの先端部は、上方に向かって膨出するような半球形状に形成されており、当該先端部より若干下がった位置には、給水開口２２ｃが形成されている。
【００２２】
飲料ボトル６がボトル載置部２０に載置され、飲料取出口６０が挿入凹部２１に挿入されると、円筒部２２ｂが飲料取出口６０から飲料ボトル６の内部に挿入される。この際、円筒部２２ｂの給水開口２２ｃも飲料ボトル６の内部に位置する。このため、飲料ボトル６に溜められている水は、給水開口２２ｃから円筒部２２ｂの内部へと流入し、飲料ボトル６内の水が、飲料供給装置１の内部へと取り入れられる。円筒部２２ｂの下端には、後述する接続配管２５が接続されており、円筒部２２ｂに流入した水は、接続配管２５を経由して冷却タンク３に供給される。
【００２３】
冷却タンク３は、冷却（温調）された水を貯留する金属製の貯留タンクであり、筐体２内の上方に位置する空間部に配置されている。この冷却タンク３は、飲料取入部２２よりも下方に配置されている。
【００２４】
冷却タンク３は、底面側が閉塞された有底筒状のタンク本体３０を備えている。タンク本体３０の周側壁の下側領域には、タンク本体３０内の水を冷却するための熱交換部７０が設置されている。
【００２５】
筐体２の底部には、冷却装置７１が設けられており、この冷却装置７１は、熱交換部７０との間で冷媒を循環させる冷媒配管（図示せず）を備えている。冷媒配管を介して冷媒が循環し、熱交換部７０に冷却された冷媒が供給されることで、冷却タンク３に溜まっている水（特に下側に貯留される水）が冷却される。
【００２６】
また、タンク本体３０は、保冷性を確保するために、その周囲が断熱材３２により覆われている。断熱材３２は、例えば発泡スチロール等により構成されている。
【００２７】
冷却タンク３は、タンク本体３０の上面を閉塞するタンク蓋３５を備えている。このタンク蓋３５は、例えば樹脂材料から形成されており、その上面には、後述する配管接続部３６を除き、断熱材（図示せず）が配設されている。
【００２８】
タンク蓋３５の所要の位置には、冷却タンク３の内外を連通する貫通孔を備えた配管接続部３６が設けられている。配管接続部３６には、タンク蓋３５の上面側から接続配管２５が接続されており、接続配管２５を流れた水はタンク蓋３５を通過してタンク本体３０に供給される。
【００２９】
タンク蓋３５の下面側（すなわち、冷却タンク３の内側）には、弁体３７を備えるフロート３８が設けられている。フロート３８は、タンク蓋３５に対して回動可能に取り付けらており、冷却タンク３内の液面の上下動に応じて回動する。弁体３７は、フロート３８の回動動作に応じて上下方向に移動することで、配管接続部３６の下面側（接続配管２５の出口端部）を開閉する。冷却タンク３内の水は、フロート３８及び弁体３７の動作により、所定の水位に維持される。
【００３０】
具体的には、水の消費に応じて、冷却タンク３内の水位が低下すると、フロート３８が、図４における反時計回り方向へと回動する。弁体３７は、フロート３８の回動に応じて配管接続部３６の下面側から離間し、これにより、配管接続部３６の下面側が開放される。その結果、飲料ボトル６から接続配管２５を介して冷却タンク３へと水が供給され、冷却タンク３内の水位が上昇する。一方、フロート３８は、水位の上昇に応じて図４における時計回り方向へと回動する。弁体３７は、フロート３８の回動に応じて配管接続部３６の下面側を閉塞し、これにより、接続配管２５からの水の流入が停止される。このように、冷却タンク３には、消費に応じた水が飲料ボトル６から供給される。
【００３１】
冷却タンク３には、上下方向の中間位置に仕切板３９が設置されている。冷却タンク３内の水は、仕切板３９を境に、仕切板３９よりも上側の水と、熱交換部７０と位置的に対応する、仕切板３９よりも下側の水とに仕切られる。この構成により、熱交換部７０により冷却された下側の水と、未冷却の上側の水とが混合することが抑制され、冷却した水が温められてしまうという事態を抑制することができる。
【００３２】
冷却タンク３の底面側には、冷水供給配管３３が接続されており、冷水供給配管３３には、冷水用電磁弁３４が設けられている。冷水供給配管３３の冷水用電磁弁３４よりも下流側は、供給ノズル１１に接続されている。供給ノズル１１は、利用者が飲料の供給を受けるためのものであり、その先端側は筐体２の外部に延出している。供給ノズル１１の先端部は、冷却タンク３に溜まる水の液面より下方となる位置に設定されており、この供給ノズル１１には、給水用電磁弁１０が設けられている。操作パネル５などの操作により冷水の給水指示がなされると、冷水用電磁弁３４及び給水用電磁弁１０が開かれ、冷却タンク３内の冷えた水が、冷水供給配管３３を介して供給ノズル１１から供給される。
【００３３】
加熱タンク４は、加熱（温調）された水を貯留する貯留タンクであり、筐体２内の中間に位置する空間部に配置されている。加熱タンク４は、冷却タンク３よりも下方、冷却装置７１よりも上方に配置されている。加熱タンク４にはヒータ（図示せず）が設置されており、当該ヒータにより加熱タンク４内の水が加熱される。
【００３４】
加熱タンク４の上面側には、中継配管４０が接続されており、この中継配管４０の他端は、冷却タンク３に接続されている。具体的には、冷却タンク３内の仕切板３９の中央部には貫通孔が穿孔されている。また、冷却タンク３の内部には、上下方向に沿って延在する中空のパイプ部４１が配置されている。パイプ部４１の上端は仕切板３９に接続され、当該パイプ部４１の中空部が仕切板３９の貫通孔と連通されている。中継配管４０の他端側は、冷却タンク３の底面を貫通した状態でパイプ部４１の中空部に配設されており、その先端が仕切板３９まで到達している。
【００３５】
冷却タンク３内の仕切板３９よりも上側の水は中継配管４０に流入すると、当該中継配管４０を経て加熱タンク４へ供給される。このように、加熱タンク４への水の供給は、飲料ボトル６から直接行われるのではなく、冷却タンク３から行われる。
【００３６】
加熱タンク４の上部には、温水供給配管４２が接続されており、当該温水供給配管４２には、温水用電磁弁４３が設けられている。温水供給配管４２の温水用電磁弁４３よりも下流側は、冷水供給配管３３と同様、供給ノズル１１に接続されている。操作パネル５などの操作により温水の給水指示がなされると、温水用電磁弁４３及び給水用電磁弁１０が開かれ、加熱タンク４内の加熱された水が、温水供給配管４２を介して供給ノズル１１から供給される。
【００３７】
なお、加熱タンク４から水が供給されると、供給された分の水が冷却タンク３から加熱タンク４へと供給される。同様に、加熱タンク４への供給分の水が飲料ボトル６から冷却タンク３へと供給される。
【００３８】
図１に示すように、筐体２の正面（前面）２ａの中央部には、所要の大きさを備える筐体開口２４が設けられており、当該筐体開口２４には化粧パネル５０が配設されている。
【００３９】
化粧パネル５０の上部には、正面側へと張り出した膨出部５１が設けられている。膨出部５１は、上側から下側にかけて正面側に突き出すように傾斜する傾斜形状とされており、当該膨出部５１の表面には操作パネル５が配設されている。操作パネル５には、利用者からの操作を受け付けるための操作手段が配置されている。操作手段としては、タッチパネルやダイヤル、スイッチ等を用いることができるが、これ以外の操作手法を用いるものであってもよい。利用者は、この操作パネル５への操作を通じて、温水、冷水又は常温水に対する給水指示や、飲料供給装置１が備える各種機能に対する実行指示を行うことができる。
【００４０】
また、膨出部５１よりも下側の化粧パネル５０には、上側から下側にかけて筐体２の内側に入り込むように傾斜する傾斜壁部５２と、当該傾斜壁部５２の下側に連設されて、鉛直方向に起立する縦壁部５３とが設けられている。この傾斜壁部５２と、縦壁部５３と、筐体２をなす左右の側面２ｂ，２ｃとにより、供給ノズル１１から供給される水を受けるための給水空間Ｓが形成される。
【００４１】
傾斜壁部５２にはノズル開口５２ａが設けられており、当該ノズル開口５２ａには、上述した供給ノズル１１の先端部が下向きに突き出すように配置されている。ノズル開口５２ａから突き出した供給ノズル１１の先端部は、ノズルカバー５４により覆われている。
【００４２】
給水空間Ｓの下端には、コップ等の容器を載置したり、容器から溢れた水を受け止めたりするためのドリップトレイ５５が配置されている。飲料供給装置１の使用時には、ドリップトレイ５５上の所定位置に容器を置き、操作パネル５に対して所定の給水操作を行うことで、供給ノズル１１から供給される水を容器で受けることができる。
【００４３】
本実施形態の特徴の一つとして、飲料供給装置１は、冷水を給水する機能及び温水を給水する機能を備えるのみならず、常温水を供給する機能も備えている。
【００４４】
具体的には、飲料供給装置１は、常温水供給配管２６を備えている。上述したとおり、冷却タンク３に貯留される水は、仕切板３９を境に、上側にある常温域の水と、下側にある冷却された水とに分けられている。そのため、常温水供給配管２６は、タンク本体３０の周側壁において仕切板３９よりも上側となる位置に接続されている。これにより、冷却タンク３に貯留される飲料のうち常温域の飲料を供給ノズル１１に導くことができる。
【００４５】
常温水供給配管２６には、流路を開閉する常温水用電磁弁２７が設けられている。常温水供給配管２６の常温水用電磁弁２７よりも下流側は、上述した冷水供給配管３３及び温水供給配管４２と同様、供給ノズル１１に接続されている。操作パネル５などの操作により常温水の給水指示がなされると、常温水用電磁弁２７及び給水用電磁弁１０が開かれ、冷却タンク３内の常温域の水（常温水）が常温水供給配管２６を介して供給ノズル１１から供給される。
【００４６】
このような構成の飲料供給装置１にあっては、操作パネル５などの操作によりクリーニング指示がなされると、冷水用電磁弁３４、温水用電磁弁４３及び常温水用電磁弁２７が開かれる一方、給水用電磁弁１０が閉じられる。この場合、加熱タンク４内の加熱された水が、中継配管４０を介して冷却タンク３に送られる。また、加熱タンク４内の加熱された水は、冷却タンク３へと送られると、常温水供給配管２６及び冷水供給配管３３を通過した後、温水供給配管４２を経由して加熱タンク４へ循環する。これにより、冷却タンク３内が加熱された水で満たされ、冷却タンク３内の熱殺菌（クリーニング）を実施することができる。加えて、常温水供給配管２６及び冷水供給配管３３にも加熱された水が循環されるので、常温水供給配管２６及び冷水供給配管３３についても熱殺菌（クリーニング）を実施することができる。
【００４７】
このように本実施形態において、飲料供給装置１は、飲料ボトル６から取り入れた水を供給ノズル１１から供給するものである。この飲料供給装置１は、飲料ボトル６から取り入れた水が供給され、当該水を所定の温度に冷却して貯留する冷却タンク３と、流路を開閉する常温水用電磁弁２７を備え、冷却タンク３に貯留される水の中で常温域の水を供給ノズル１１に導く常温水供給配管２６と、を有している。
【００４８】
この構成によれば、常温水供給配管２６を冷却タンク３に設けたことで、当該冷却タンク３に貯留される常温域の水を供給ノズル１１へと導くことができる。これにより、利用者が常温水を簡易に利用することができる。したがって、常温水を得るために、冷水と温水とを交互に注ぎ、利用者自身で温度を調整するといった手間を省くことができる。また、冷水と温水とを自動で混合して常温水を生成するといった機能を搭載する必要もないので、簡素な装置構成で常温水を利用することができる。
【００４９】
また、本実施形態において、冷却タンク３は、飲料ボトル６から取り入れた水がタンク上部から供給されるタンク本体３０と、タンク本体３０の内部に配置され、当該タンク本体３０内に貯留される水を上下に仕切る仕切板３９と、仕切板３９よりも下側領域に配置され、冷却タンク３内の水を冷却する冷却手段である熱交換器７０と、を有している。この場合、常温水供給配管２６は、仕切板３９よりも上側となる位置でタンク本体３０に接続されている。
【００５０】
冷却タンク３に貯留される水は、仕切板３９を境に、上側に常温域の水と、下側に冷却された水とに分かれている。このため、仕切板３９よりも上側となる位置で常温水供給配管２６が接続されることで、冷却タンク３の中から常温域の水を選択的に取り出すことができる。
【００５１】
また、本実施形態において、飲料供給装置１は、供給ノズル１１に配設され、流路を開閉する給水用電磁弁１０と、冷却タンク３から中継配管４０を経由して水が供給され、当該水を所定の温度に加熱して貯留する加熱タンク４と、流路を開閉する温水用電磁弁４３を備え、加熱タンク４に貯留される飲料を供給ノズル１１に導く温水供給配管４２と、を有している。そして、クリーニング指示がなされると、温水用電磁弁４３及び常温水用電磁弁２７が開かれる一方、給水用電磁弁１０が閉じられる。
【００５２】
この構成によれば、加熱タンク４と冷却タンク３との間で水を循環させる経路に、常温水供給配管２６が含まれる。これにより、冷却タンク３のみならず、常温水供給配管２６についても熱殺菌を行うことができる。
【００５３】
また、本実施形態において、飲料供給装置１は、流路を開閉する冷水用電磁弁３４を備えて冷却タンク３に貯留される飲料を供給ノズル１１に導く冷水供給配管３３をさらに有している。そして、クリーニング指示がなされると、冷水用電磁弁３４がさらに開かれる。
【００５４】
この構成によれば、加熱タンク４と冷却タンク３との間で水を循環させる経路に、冷水供給配管３３が含まれる。これにより、冷却タンク３のみならず、冷水供給配管３３についても熱殺菌を行うことができる。
【００５５】
なお、本実施形態では、供給ノズル１１に給水用電磁弁１０を設けることで、冷却タンク３と加熱タンク４との循環経路を形成したが、当該循環経路の形態は、これに限定されるものではなく、給水用電磁弁１０を用いずに循環経路を形成することも可能である。ここで、図６は、本実施形態に係る飲料供給装置１の変形例に関する配管構成を概略的に示す説明図である。なお、図６に示す破線の矢印は、クリーニング時の水の流れを示す。
【００５６】
具体的には、加熱タンク４の上部には、循環配管４４が接続されており、当該循環配管４４には、流路を開閉する循環用電磁弁４５が設けられている。循環配管４４の他端は、冷却タンク３の下面側に接続されており、循環配管４４を介して加熱タンク４と冷却タンク３とが相互に接続されている。
【００５７】
また、飲料供給装置１は、冷水供給配管３３の冷水用電磁弁３４よりも上流側と、常温水供給配管２６の常温水用電磁弁２７よりも上流側とを接続するバイパス配管４６を備えている。
【００５８】
操作パネル５などの操作によりクリーニング指示がなされると、通常は閉じた状態の循環用電磁弁４５が開かれる。これにより、加熱タンク４内の加熱された水が、中継配管４０を介して冷却タンク３に送られ、冷却タンク３内が加熱された水で満たされるので、冷却タンク３内の熱殺菌（クリーニング）を実施することができる。冷却タンク３と加熱タンク４との間に循環配管４４を追加することで、冷却タンク３内の水が加熱タンク４へと戻り、水を適切に循環させることができる。
【００５９】
また、クリーニング指示がなされると、冷水用電磁弁３４、温水用電磁弁４３及び常温水用電磁弁２７も閉じられる。加熱タンク４内の加熱された水は、冷却タンク３へと送られた後、常温水供給配管２６、バイパス配管４６、冷水供給配管３３を経由して、冷水タンク３へと戻る。これにより、常温水供給配管２６及び冷水供給配管３３にも加熱された水が循環されるので、常温水供給配管２６及び冷水供給配管３３についても熱殺菌（クリーニング）を実施することができる。
【００６０】
以上、実施形態に基づき本発明を説明したが、本発明は上記実施形態に限られるものではなく、本発明の趣旨を逸脱しない範囲で、変更を加えてもよい。
【００６１】
例えば、上述した実施形態では、冷水供給配管、温水供給配管、常温水供給配管及び供給ノズルに配設した弁を電磁弁で構成したが、これらの電磁弁のいずれかを機械式弁に置き換えてもよく、種々の開閉弁を利用することができる。また、本実施形態では、冷水供給配管、温水供給配管及び常温水供給配管を供給ノズルの上流で合流させ、単一の供給ノズルに接続しているが、供給ノズルを供給配管毎に設ける構成であってもよい。
【符号の説明】
【００６２】
１      飲料供給装置
１０      給水用電磁弁
１１      供給ノズル
２      筐体
２０      ボトル載置部
２１      挿入凹部
２２      飲料取入部
２２ａ    取入部本体
２２ｂ    円筒部
２２ｃ    給水開口
２４      筐体開口
２５      接続配管
２６      常温水供給配管
２７      常温水用電磁弁
３      冷却タンク
３０      タンク本体
３２      断熱材
３３      冷水供給配管
３４      冷水用電磁弁
３５      タンク蓋
３６      配管接続部
３７      弁体
３８      フロート
３９      仕切板
４      加熱タンク
４０      中継配管
４２      温水供給配管
４３      温水用電磁弁
４４      循環配管
４５      循環用電磁弁
４６      バイパス配管
５      操作パネル
５０      化粧パネル
６      飲料ボトル
６０      飲料取出口
Ｓ        給水空間
【図１】
2018177285.tif 000003
【図２】
2018177285.tif 000004
【図３】
2018177285.tif 000005
【図４】
2018177285.tif 000006
【図５】
2018177285.tif 000007
【図６】
2018177285.tif 000008